(57)【要約】      （修正有）【課題】専門的な知識および技術を有していないエンドユーザーであっても、小規模の音響設備に簡単に音響の設定を行うことができる音響機器編集装置を提供する。【解決手段】リーダー部２ｃにチップ２０を置くと、チップ２０のチップ情報が読み出され、チップ情報に関連付けられたパラメーターセットが読み出される。読み出されたパラメーターセットは、チップ２０を置いたチャンネルストリップの対象とするチャンネルにセットされる。【選択図】図１
2016157996.tif 000002
【特許請求の範囲】
【請求項１】
チップ毎に持つユニークな情報をチップから読み出す各チャンネルに用意されたリーダーと、
少なくとも１つのパラメーターセットを記憶する記憶手段とを備え、
前記リーダーに前記チップをセットすることで、前記リーダーにより当該チップの前記情報が読み出され、読み出された前記情報に関連付けられたパラメーターセットが、前記記憶手段から読み出されて前記チップがセットされたチャンネルに設定されることを特徴とする音響機器編集装置。
【請求項２】
前記情報にはポート情報も関連付けられており、
前記リーダーから読み出された前記情報に関連付けられた前記ポート情報で特定されるポートに、前記チャンネルが接続されることを特徴とする請求項１に記載の音響機器編集装置。
【発明の詳細な説明】
【技術分野】
【０００１】
この発明は、小規模の音響設備に簡単に音響の設定を行うことができる音響機器編集装置に関する。
【背景技術】
【０００２】
公民館やホテルなど小規模の会場の音響設備として、小型ミキサーが用いられている。音響設備のユーザーには、音響設備の操作に対して高いスキルを持つ「コントラクター」と、ホール等の設備責任者や、宴会場の仲居さんなどの、コントラクターに比べれば、持ち合わせている音響設備の操作に対するスキルが相対的に低い「エンドユーザー」とがいる。例えば講演会などにおいて、ミキサーを使用できるようにセットする場合、舞台センターのマイクコンセントに演台マイクを接続して講演者用マイクをセットし、そこからの回線をミキサーの該当するチャンネルにケーブルで接続し、その後、ヘッドアンプ（ＨＡ）、イコライザー（ＥＱ）、フェーダー、サプレッサなどのパラメーター値をセットしたり、出力バスのアサインなどを調整する。さらに、講演者用マイクとは別に司会用マイクが必要な場合は、講演者用マイクと同等の設定を司会用マイクに対して行うことになる。これらの作業には、専門的な知識及び技術が必要になる。
【０００３】
また、司会用マイクが下手にある場合、舞台センターのマイクコンセントとは別に用意されている下手用のマイクコンセントに司会用マイクを接続するが、この時、ミキサーの操作上、講演者用マイクが接続されていないチャンネルを選択して、接続する必要がある。なお、現状でも、十分な入力数のある大型ミキサーを使用すれば、各チャンネルそれぞれの用途別に専用のパラメーター値を設定し、そのチャンネルにその用途のマイクを接続する事で、適切な設定で使用する事が可能となるが、小規模な設備では設置スペース、コストの問題から大型ミキサーを使用することは非現実的である。
ところで、ミキサーにデジタルミキサーを使用すれば、あらかじめ用途別の専用設定をライブラリーとして保存しておき、適宜、ライブラリーからパラメーターセットを呼び出すことが可能となる（非特許文献１参照）。しかしながら、そのためには、当該操作に足るだけのミキサー操作の知識とスキルを必要とする。
【先行技術文献】
【非特許文献】
【０００４】
【非特許文献１】ヤマハ株式会社  DIGITAL MIXING CONSOLE CL5 CL3 CL1，P.23-27，［online］, ［平成２６年１０月  ８日検索］，インターネット<http://www2.yamaha.co.jp/manual/pdf/pa/japan/mixers/cl5_ja_om_d0.pdf?_ga=1.80309719.1385593750.1412745000>
【発明の概要】
【発明が解決しようとする課題】
【０００５】
上記したように、従来の小規模の音響設備を使用できるように音響の設定をエンドユーザーが行う場合もあり、エンドユーザーが専門的な知識および技術を有していない場合には、音響設備の音響の設定を行うことが困難であるという問題点があった。
そこで、本発明は、専門的な知識および技術を有していないエンドユーザーであっても、音響設備に簡単に音響の設定を行うことができる音響機器編集装置を提供することを目的としている。
【課題を解決するための手段】
【０００６】
上記目的を達成するために、本発明の音響機器編集装置は、チップ毎に持つユニークな情報をチップから読み出す各チャンネルに用意されたリーダーと、少なくとも１つのパラメーターセットを記憶する記憶手段とを備え、前記リーダーに前記チップをセットすることで、前記リーダーにより当該チップの前記情報が読み出され、読み出された前記情報に関連付けられたパラメーターセットが、前記記憶手段から読み出されて前記チップがセットされたチャンネルに設定されることを最も主要な特徴としている。
また、上記音響機器編集装置において、前記情報にポート情報も関連付けることで、前記リーダーから読み出された前記情報に関連付けられた前記ポート情報で特定されるポートに、前記チャンネルが接続されるようにしてもよい。
【発明の効果】
【０００７】
本発明の音響機器編集装置では、リーダーにいずれかのチップをセットすることで、チップ毎に持つユニークな情報がリーダーで読み出され、読み出された情報に関連付けられたパラメーターセットが、記憶手段から読み出されてチップがセットされたチャンネルに設定されることから、専門的な知識および技術を有していないエンドユーザーであっても、音響設備に簡単に最適な音響の設定を行うことができるようになる。
【図面の簡単な説明】
【０００８】
【図１】本発明の音響機器編集装置の実施例であるミキサーの構成を示す正面斜視図である。
【図２】本発明の音響機器編集装置の実施例であるミキサーの構成を示す背面斜視図である。
【図３】本発明の実施例にかかるミキサーの構成を示す機能ブロック図である。
【図４】本発明の実施例にかかるミキサーにおける関連付けられたチップＩＤと「使用するプリセット名」とのテーブルと、「使用するプリセット名」のライブラリーのパラメーターセットを示す図である。
【図５】本発明の実施例にかかるミキサーで実行されるプリセット適用処理のフローチャートである。
【図６】本発明の音響機器編集装置の他の実施例であるミキサーを備えるミキサーシステムの構成を示す図である。
【図７】本発明の他の実施例にかかるミキサーにおける関連付けられたチップＩＤと「使用するプリセット名」とのテーブルと、「使用するプリセット名」のライブラリーのパラメーターセットを示す図である。
【図８】本発明の他の実施例にかかるミキサーで実行されるプリセット適用処理２のフローチャートである。
【発明を実施するための形態】
【０００９】
本発明の音響機器編集装置の実施例であるミキサー１の構成を示す正面斜視図を図１に、その背面斜視図を図２に示す。
これらの図に示すように、ミキサー１は上面が操作パネル２とされている。図１に例示したミキサー１の操作パネル２には、複数の回転操作子２ａが２段に横方向に配列されて設けられており、それぞれの回転操作子２ａには摘みが設けられている。回転操作子２ａの下側にはフェーダー２ｂが横方向に複数配列されており、フェーダー２ｂの下側にリーダー部２ｃが横方向に複数配列されて設けられている。縦に並んだ２つの回転操作子２ａとフェーダー２ｂとリーダー部２ｃとで、各チャンネルを設定するチャンネルストリップが構成され、このチャンネルストリップが操作パネル２に複数本設けられている。２つの回転操作子２ａは、ゲインやパンなどを調節し、フェーダー２ｂはチャンネルの出力レベルを調節する。また、リーダー部２ｃにはチップ２０を載置できる検出部が形成されており、この検出部にチップ２０を置くとチップ２０を識別するチップ情報であるチップＩＤがリーダー部２ｃにより読み出される。そして、後述するようにチップ２０のチップＩＤに関連付けられたパラメーターセットのパラメーター値が、チップ２０が置かれたチャンネルストリップにアサインされている対象とするチャンネルにセットされる。チップ２０は、多数用意されており、それぞれのチップ２０のチップＩＤは互いに異なる固有のユニーク情報を有しており、異なるチップ２０をリーダー部２ｃに置くことにより、そのチップ２０に関連付けられたパラメーターセットのパラメーター値が、チップ２０が置かれたリーダー部２ｃに対応するチャンネルにセットされるようになる。
【００１０】
ミキサー１の背面パネル３には、図２に示すように複数の入力端子３ａが設けられており、図示する例では、マイク２１ａのプラグ２２ａが接続された入力端子３ａと、マイク２１ｂのプラグ２２ｂが接続された入力端子３ａとが示されている。これにより、例えば、マイク２１ａからのオーディオ信号は入力端子３ａを介してチャンネル１に入力され、チャンネル１にアサインされたチャンネルストリップの操作子によりゲインやレベルが調節される。また、例えば、マイク２１ｂからのオーディオ信号は入力端子３ａを介してチャンネル２に入力され、チャンネル２にアサインされたチャンネルストリップの操作子によりゲインやレベルが調節される。なお、背面パネル３には出力端子なども設けられているが、省略して示している。
ミキサー１の操作パネル２や背面パネル３の構成は上述した構成に限らず、種々の配置・構成を採用することができる。例えばリーダー部２ｃはフェーダー２ｂの手前側に限らず、フェーダー２ｂや回転操作子２ａの側方や奥側等に配置してもよい。
【００１１】
本発明の実施例にかかるミキサー１の構成を示す機能ブロック図を図３に示す。
図３に示すミキサー１において、信号処理はＤＳＰ（Digital Signal Processor）１２を用いて実行されており、ＣＰＵ（Central Processing Unit）１０の制御の元でヘッドアンプ（ＨＡ）、イコライザー（ＥＱ）、フェーダー、サプレッサなどの信号処理を行っている。これらの信号処理をＣＰＵ１０にて動作するソフトウェアによって実現しても良い。ミキサー１の全体の制御はＣＰＵ１０により行われている。メモリ１１は、フラッシュメモリとＲＡＭ（Random Access Memory）とを備え、ＣＰＵ１０が実行する動作ソフトウェア、パラメーターセットのライブラリーや各種データがフラッシュメモリに記憶され、ＣＰＵ１０のワークメモリ領域や一時保存データ等の領域がＲＡＭに設定される。なお、フラッシュメモリの一部領域をＲＡＭとして用いてもよいし、フラッシュメモリに替えてハードディスク等の書換可能な不揮発性の記憶デバイスを用いてもよい。表示部１３は、液晶表示器等とされミキサー１における種々の操作画面等を表示している。操作部１４は、回転操作子２ａやフェーダー２ｂ等の操作子を備え、操作子の操作を検出している。検出された操作信号に基づいて信号処理に用いるパラメーターの編集や操作を行うことができる。その他Ｉ／Ｆ１５は、外部機器を接続するためのインタフェースであり、ネットワーク用のインタフェースやＵＳＢ（Universal Serial Bus）などのシリアルインタフェースとされる。また、その他Ｉ／Ｆ１５はリーダー部２ｃにてチップＩＤを検出する検出デバイスも含む。音声Ｉ／Ｆ１６は、ミキサー１にオーディオ信号を入力するアナログ入力ポートや信号処理されたオーディオ信号を出力するアナログ出力ポート、ディジタル信号を入力すると共に、外部に信号処理されたディジタル信号を出力するディジタル入力／出力ポートを備えている。アナログ入力ポートから入力されたオーディオ信号はディジタル信号に変換されて音声／通信バス１７に送出され、入力されたディジタル入力信号も音声／通信バス１７に送出される。音声／通信バス１７へ送出されたディジタル信号はＤＳＰ１２が受け取って所定の信号処理が施される。これにより、ＤＳＰ１２から音声／通信バス１７に送出されたオーディオ信号を音声Ｉ／Ｆ１６からスピーカ等へ供給することができるようになる。
【００１２】
各チップ２０のチップＩＤには、「使用するプリセット名」を指定する指定情報が関連付けられており、「使用するプリセット名」のそれぞれには、複数のパラメーターの値からなるパラメーターセットが対応付けられており、メモリ１１上に少なくとも１つの（好適には複数の）パラメーターセットからなるライブラリーが記憶されている。本発明の実施例にかかるミキサー１における関連付けられたチップＩＤと「使用するプリセット名」を指定する指定情報とのテーブルを図４（ａ）に示し、「使用するプリセット名」に対応付けられたパラメータセットのライブラリーを図４（ｂ）に示す。
図４（ａ）に示すテーブルと、図４（ｂ）に示すライブラリーは、予めコントラクターにより設定されてメモリ１１に記憶されている。図４（ａ）に示す場合は、チップＩＤ「＃１」のチップ２０には、「講演者マイク」とされる「使用するプリセット名」に対応するパラメーターセットを指定する指定情報が関連付けられ、チップＩＤ「＃２」のチップ２０には、「司会マイク」とされる「使用するプリセット名」に対応するパラメーターセットを指定する指定情報が関連付けられ、チップＩＤ「＃３」のチップ２０には、「ＢＧＭ」とされる「使用するプリセット名」に対応するパラメーターセットを指定する指定情報が関連付けられ、チップＩＤ「＃４」以降は省略されているが同様にいずれかの「使用するプリセット名」に対応するパラメーターセットを指定する指定情報が関連付けられる。このように、設置されている音響設備に応じた「講演者マイク」「司会マイク」「ＢＧＭ」などの「使用するプリセット名」に対応するパラメーターセットが用意され、上記した「指定情報」により、いずれかの「使用するプリセット名」に指定される。そして、図４（ｂ）に示すように、「使用するプリセット名」に対応するパラメータセットのライブラリーの「講演者マイク」のパラメーターセットは、チャンネルストリップで調節可能なＨＡ（ヘッドアンプ）、Ｃｏｍｐ（コンプレッサー）、ＥＱ（イコライザー）、エフェクターなどのパラメーター値から構成されている。また、「使用するプリセット名」に対応する他のパラメータセットのパラメータ値の構成も同様とされている。各「使用するプリセット名」に対応するパラメーターセットのパラメーター値は、「使用するプリセット名」に対応するパラメーター値となるようにコントラクターが設定してある。なお、多数用意されたチップ２０には、それぞれのチップ２０のチップＩＤに関連付けられた「使用するプリセット名」を表示しておく。図４（ｂ）に示す例では、メモリ１１上に「講演者マイク」「司会マイク」・・・の「使用するプリセット名」のそれぞれに対応する複数のパラメーターセットからなるライブラリーが記憶されている。
【００１３】
本発明の実施例にかかるミキサー１を使用する際には、図２に示すように使用するマイク２１ａ，２１ｂをミキサー１の各入力端子３ａに接続する。この場合、ミキサー１のメモリ１１には、図４（ａ）（ｂ）に示すテーブルおよびライブラリーのパラメーターセットがコントラクターにより記憶されている。そして、ミキサー１におけるマイク２１ａが接続された入力端子３ａがアサインされているチャンネルストリップのリーダー部２ｃに、マイク２１ａの用途に応じたチップ２０を選択して置く。例えば、マイク２１ａが講演者マイクの場合は「講演者マイク」と表示されたチップ２０を選んで上記リーダー部２ｃに置く。リーダー部２ｃがチップ２０が置かれたことを検出し、置かれたチップ２０のチップＩＤを読み出すと、ＣＰＵ１０は図５に示すプリセット適用処理を開始する。プリセット適用処理が開始されると、ステップＳ１０にてリーダー部２ｃに置かれたチップ２０のチップＩＤをＣＰＵ１０が読み取る。次いで、ステップＳ１１にてＣＰＵ１０は、チップＩＤに関連付けられた「使用するプリセット名」に対応するパラメーターセットを、図４（ａ）に示すテーブルを参照して特定する。この場合は、「使用するプリセット名」として「講演者マイク」が特定され、ステップＳ１２にてＣＰＵ１０は、ステップＳ１１で特定した「講演者マイク」に対応するパラメーターセットをメモリ１１に記憶されているライブラリーから読み出して、チップ２０が置かれた対象とするチャンネルのパラメーターに、読み出されたパラメーターセットのパラメーター値を反映させる。これにより、対象とするチャンネルに「講演者マイク」に最適な設定が呼び出されるようになる（ライブラリーからチップＩＤにて特定されるパラメーターセットが呼び出される）。
【００１４】
そして、ミキサー１におけるマイク２１ｂが接続された入力端子３ａがアサインされているチャンネルストリップのリーダー部２ｃに、マイク２１ｂの用途に応じたチップ２０を選択して置く。例えば、マイク２１ｂが司会マイクの場合は「司会マイク」と表示されたチップ２０を選んで上記リーダー部２ｃに置く。リーダー部２ｃが置かれたチップ２０のチップＩＤを読み出すと、ＣＰＵ１０は図５に示すプリセット適用処理を開始して、上記した処理が行われる。これにより、ライブラリーから「司会マイク」に対応するパラメーターセットが読み出され、対象とするチャンネルに「司会マイク」に最適な設定が呼び出されるようになる。
リーダー部２ｃにチップ２０を置く毎に上記した図５に示すプリセット適用処理がＣＰＵ１０で実行されることにより、ミキサー１の各チャンネルに、置かれたチップ２０のチップＩＤに関連づけられた「使用するプリセット名」に対応するパラメーターセットのパラメータ値が呼び出され設定されるようになる。これにより、専門的な知識および技術を有していないエンドユーザーであっても、小規模の音響設備に簡単に最適な音響の設定を行うことができるようになる。
【００１５】
次に、本発明の音響機器編集装置の他の実施例であるミキサーを備えるミキサーシステムの構成を図６に示す。
図６に示すミキサーシステム１００は、本発明の他の実施例にかかるミキサー１’とＩ／Ｏボックス＃１とＩ／Ｏボックス＃２とから構成され、ミキサー１’に、Ｉ／Ｏ＃１とＩ／Ｏ＃２とのＩ／Ｏボックスが接続されている。Ｉ／Ｏ＃１とＩ／Ｏ＃２とは同じ構成とされ、Ｉ／Ｏ＃１の入力端子３３には複数本のマイク３１ａ、マイク３１ｂ、・・・のプラグ３２がそれぞれ接続され、Ｉ／Ｏ＃２の入力端子４３には複数本のマイク４１ａ、マイク４１ｂ、・・・のプラグ４２がそれぞれ接続されている。このようなＩ／Ｏ＃１とＩ／Ｏ＃２とが、ミキサー１’の図示しない背面パネルに設けられたその他Ｉ／Ｆ１５または音声Ｉ／Ｆ１６に接続されて、ミキサー１にはマイク３１ａ，３１ｂ，・・・とマイク４１ａ，４１ｂ，・・・の多数のマイクからのオーディオ信号が入力される。この場合、Ｉ／Ｏ＃１，＃２はネットワーク用のインタフェースあるいはシリアルインタフェースを備え、その他Ｉ／Ｆ１５あるいは音声Ｉ／Ｆ１６を介してミキサー１’に接続されることにより、各マイク３１ａ，・・・，４１ａ，・・・は、ミキサー１’の論理ポートとされるポートにそれぞれ接続される。マイクの数が、ミキサー１’のチャンネル数を超えている場合は、ミキサー１’においては、使用するマイクが接続されるポートを選択的にチャンネルにパッチ（結線）する。本発明の他の実施例にかかるミキサー１’のその他の構成は、本発明の実施例にかかるミキサー１と同様とされているので、その説明は省略する。
【００１６】
本発明の他の実施例にかかるミキサー１’においては、各チップ２０のチップＩＤには、「使用するプリセット名」を指定する第１指定情報と、「使用するＩ／Ｏ」を指定する第２指定情報と、「使用するポート番号」を指定する第３指定情報とが関連付けられる。この場合、第１指定情報で指定される「使用するプリセット名」のそれぞれには、複数のパラメーター値からなるパラメーターセットが対応付けられており、第２指定情報ではＩ／Ｏ＃１，#２のいずれかが指定される。また、第３指定情報ではＩ／Ｏボックスに接続されている所定のマイクが接続されたミキサー１’のポートの番号が指定される。本発明の他の実施例にかかるミキサー１’においては、パラメーターセットに第２指定情報と第３指定情報とのポート情報を含ませてもよい。本発明の他の実施例にかかるミキサー１’における関連付けられたチップＩＤと、「使用するプリセット名」を指定する第１指定情報と、「使用するＩ／Ｏ」を指定する第２指定情報と、「使用するポート番号」を指定する第３指定情報とのテーブルを図７（ａ）に示し、「使用するプリセット名」に対応するパラメータセットのライブラリーを図７（ｂ）に示す。
【００１７】
図７（ａ）に示すテーブルと、図７（ｂ）に示すライブラリーは、予めコントラクターにより設定されてメモリ１１に記憶されている。図７（ａ）に示す場合では、チップＩＤ「＃１」のチップ２０には、「講演者マイク」とされる「使用するプリセット名」に対応するパラメーターセットを指定する第１指定情報と、使用するＩ／Ｏボックスとして「Ｉ／Ｏ＃１」を指定する第２指定情報と、使用するポート番号としてポート番号「Ｎｏ．１」を指定する第３指定情報とが関連付けられ、チップＩＤ「＃２」のチップ２０には、「司会マイク」とされる「使用するプリセット名」に対応するパラメーターセットを指定する第１指定情報と、使用するＩ／Ｏボックスとして「Ｉ／Ｏ＃２」を指定する第２指定情報と、使用するポート番号としてポート番号「Ｎｏ．２」を指定する第３指定情報とが関連付けられている。また、チップＩＤ「＃３」のチップ２０には、「ＢＧＭ」とされる「使用するプリセット名」に対応するパラメーターセットを指定する第１指定情報と、使用するＩ／Ｏボックスとして「Ｉ／Ｏ＃１」を指定する第２指定情報と、使用するポート番号としてポート番号「Ｎｏ．４」を指定する第３指定情報とが関連付けられており、チップＩＤ「＃４」以降は省略されているが同様にいずれかの「使用するプリセット名」に対応するパラメーターセットを指定する第１指定情報、いずれかのＩ／Ｏボックスを指定する第２指定情報といずれかのポート番号を指定する第３指定情報とが関連付けられる。
【００１８】
なお、第３指定情報で指定される「使用するポート番号」は、使用するマイクをチャンネルに結線する際に利用するポート情報であり、使用するポート番号は論理ポートの番号とされている。図示する例では、設置されている音響設備に応じた「講演者マイク」「司会マイク」「ＢＧＭ」などの「使用するプリセット名」に対応するパラメーターセットが用意され、上記した「第１指定情報」により、いずれかの「使用するプリセット名」に対応するパラメーターセットが指定され、上記した「第２指定情報」により、いずれかのＩ／Ｏボックスが指定され、上記した「第３指定情報」により、いずれかのポート番号が指定される。また、図７（ｂ）に示す「使用するプリセット名」に対応するライブラリーは、図４（ｂ）と同様とされているので、その説明は省略する。
各「使用するプリセット名」に対応するパラメーターセットのパラメーター値は、「使用するプリセット名」に対応するパラメーター値となるようにコントラクターが設定してあり、「使用するＩ／Ｏ」と「使用するポート番号」からなるポート情報もコントラクターが設定している。なお、多数用意されたチップ２０には、それぞれのチップ２０のチップＩＤに関連付けられた「使用するプリセット名」を表示しておく。図７（ｂ）に示す例においても、メモリ１１上に「講演者マイク」「司会マイク」・・・の「使用するプリセット名」のそれぞれに対応する複数のパラメーターセットからなるライブラリーが記憶されている。
【００１９】
本発明の他の実施例にかかるミキサー１’を使用するミキサーシステム１００では、図６に示すように使用するマイク３１ａ、マイク３１ｂ、・・・をＩ／Ｏ＃１に接続すると共に、マイク４１ａ、マイク４１ｂ、・・・をＩ／Ｏ＃２に接続し、これらのＩ／Ｏ＃１，＃２をミキサー１’に接続する。この場合、ミキサー１のメモリ１１には、図７（ａ）（ｂ）に示すテーブルおよびライブラリーがコントラクターにより記憶されている。そして、ミキサー１におけるいずれかのチャンネルストリップのリーダー部２ｃに、そのチャンネルで使用するプリセットに対応するチップ２０を選択して載置する。例えば、「講演者マイク」と表示されたチップ２０を選んで上記リーダー部２ｃに置いたとする。リーダー部２ｃがチップ２０が置かれたことを検出し、置かれたチップ２０のチップＩＤを読み出すと、ＣＰＵ１０は図８に示すプリセット適用処理２を開始する。プリセット適用処理２が開始されると、ステップＳ２０にてリーダー部２ｃに置かれたチップ２０のチップＩＤをＣＰＵ１０が読み取る。次いで、ステップＳ２１にてＣＰＵ１０は、チップＩＤに関連付けられた第２指定情報と第３指定情報とから使用するＩ／Ｏボックスと、使用するポート番号とのポート情報を、図７（ａ）に示すテーブルを参照して特定する。この場合は、読み出されたチップＩＤが「＃１」とされることから、「使用するＩ／Ｏ」として「Ｉ／Ｏ#１」、「使用するポート番号」として「Ｎｏ．１」が特定され、ステップＳ２２にてＣＰＵ１０は、チップ２０が置かれた対象とするチャンネルを特定されたＩ／Ｏ#１とＮｏ．１のポート番号とで特定されるポートに結線して、対象とするチャンネルにＩ／Ｏ#１の所定の入力端子に接続された「講演者マイク」をルーティングする。さらに、ステップＳ２３にてＣＰＵ１０は、チップＩＤに関連付けられた第１指定情報で指定された「使用するプリセット名」に対応するパラメーターセットを、図７（ａ）に示すテーブルを参照して特定する。この場合は、「使用するプリセット名」として「講演者マイク」が特定され、ステップＳ２４にてＣＰＵ１０は、ステップＳ２３で特定した「講演者マイク」に対応するパラメーターセットを、メモリ１１に記憶されている図７（ｂ）に示すライブラリーから読み出して、チップ２０が置かれた対象とするチャンネルのパラメーターに読み出されたパラメーターセットのパラメーター値を反映させる。これにより、「講演者マイク」がルーティングされた対象とするチャンネルに「講演者マイク」に最適な設定が呼び出されるようになる（ライブラリーからチップＩＤにて特定されるパラメーターセットが呼び出される）。
【００２０】
次いで、ミキサー１において他のチャンネルストリップのリーダー部２ｃに、他のチップ２０を選択して置く。例えば、「司会マイク」と表示されたチップ２０を選んで上記リーダー部２ｃに置いたとする。リーダー部２ｃが置かれたチップ２０のチップＩＤを読み出すと、ＣＰＵ１０は図８に示すプリセット適用処理２を開始して、上記した処理が行われる。これにより、チップＩＤに関連付けられたポート情報が読み出されて、対象とするチャンネルに「司会マイク」がルーティングされると共に、ライブラリーから「司会マイク」に対応するパラメーターセットが読み出され、対象とするチャンネルに「司会マイク」に最適な設定が呼び出されるようになる。
リーダー部２ｃにチップ２０を置く毎に上記した図８に示すプリセット適用処理２がＣＰＵ１０で実行されることにより、ミキサー１の各チャンネルに、置かれたチップ２０のチップＩＤに関連付けられたマイクがルーティングされると共に、チップＩＤに関連付けられた「使用するプリセット名」に対応するパラメーターセットのパラメータ値が呼び出され設定されるようになる。これにより、専門的な知識および技術を有していないエンドユーザーであっても、小規模の音響設備に簡単に最適な音響の設定を行うことができるようになる。
【００２１】
以上のように、ミキサーシステム１００では、図６に示すようにチップ２０をリーダー部２ｃに置くと、チップ２０が置かれたことが検出されて、そのチップ２０のチップＩＤがリーダー部２ｃで読み出されてＣＰＵ１０に送られ、ＣＰＵ１０は図７（ａ）のテーブルを参照してチップＩＤに関連付けられたポート情報を特定し、そのポート情報で特定されるポートに結線して、対象とするチャンネルに所定のＩ／Ｏボックスの入力端子に接続されたマイクをルーティングする。そして、チップＩＤに関連付けられた「使用するプリセット名」に対応するパラメーターセットをメモリ１１上のライブラリーから読み出して、チップ２０が置かれた対象とするチャンネルにそのパラメーター値をセットする。
【産業上の利用可能性】
【００２２】
以上説明した本発明にかかる音響機器編集装置において、チップ情報を実現する方法は非接触型でも接触型でもよく、バーコード、ＱＲコード、ＩＣチップ、ＲＦタグ、ＮＦＣ（Near Field Communication）タグ、画像認証、抵抗値、磁気パターン、物理的な突起の有無のパターン（点字パターンのようなもの）などのチップが考えられ、リーダー部にはそのチップからチップ情報を読み出せる検出デバイスが搭載される。また、本発明の音響機器編集装置の実施例をミキサーとしたが、これに限ることはなくパラメーター値を調節する音響機器などの電子機器に本発明を適用することができる。
以上の説明では、チップをチャンネルストリップにセットすることにより、チャンネルストリップの対象チャンネルにチップ情報に関連付けられたパラメーターセットのパラメーター値が設定されたが、ミキサーにチップをセットすることにより、チップ情報に関連付けられたシーン（複数チャンネルに関する設定情報やミキサー１全体の動作設定等を含むパラメーターセット）をリコールするようにしてもよい。あるいは、ライブラリーをミキサー１のメモリ１１に用意するものとしたが、チップ２０自体にパラメーターセットやポート情報を記憶させておき、ミキサー１はチップ２０から当該パラメーターセット等を読み出して設定するようにしてもよい。
本発明においては、あらかじめ、用途ごとに設定されたパラメーターセットをライブラリー化しておき、従来のように、ボタン操作やメニュー選択といった複雑な操作を行うことなく、「講演者マイク」「司会マイク」等と書かれたチップを任意のチャンネルストリップの直近に置くだけで、接続したマイクが指定したチャンネルに入力され（パッチ）たり、最適な設定が呼び出されたりするようになる。
【符号の説明】
【００２３】
１  ミキサー、２  操作パネル、２ａ  回転操作子、２ｂ  フェーダー、２ｃ  リーダー部、３  背面パネル、３ａ  入力端子、１０  ＣＰＵ、１１  メモリ、１２  ＤＳＰ、１３  表示部、１４  操作部、１５  その他Ｉ／Ｆ、１６  音声Ｉ／Ｆ、１７  通信バス、２０  チップ、２１ａ  マイク、２１ｂ  マイク、２２ａ  プラグ、２２ｂ  プラグ、３１ａ  マイク、３１ｂ  マイク、３２  プラグ、３３  入力端子、４１ａ  マイク、４１ｂ  マイク、４２  プラグ、４３  入力端子、１００  ミキサーシステム
【図１】
2016157996.tif 000003
【図２】
2016157996.tif 000004
【図３】
2016157996.tif 000005
【図４】
2016157996.tif 000006
【図５】
2016157996.tif 000007
【図６】
2016157996.tif 000008
【図７】
2016157996.tif 000009
【図８】
2016157996.tif 000010